(57)【要約】【課題】生成効率が向上された高速旋回流方式の微細気泡発生器を提供する。【解決手段】微細気泡を発生させる微細気泡発生器１において、内部空間４を有する発生器本体２と、発生器本体の内部空間を内室４ｂと外室４ａとに仕切るインナーケース３と、内室に設けられ、微細気泡を外部に噴出させる噴出口１２を有するノズル５と、を備え、発生器本体は、液体を外室に導入する液体導入口６と、内室に気体を導入する気体導入口９と、を備え、インナーケースは、液体導入口から遠い方の一端部に設けられ、複数の第１ブレード片１１ａが所定の間隙を有しつつ周方向に沿って一部径方向にオーバーラップするように配列され、外室から内室に液体を間隙を介して流入させる第１固定ブレード１１を備え、ノズルは、気体導入口から噴出口に向かって内壁が縮径されたテーパガイド部５１を有し、気体導入口は、一端部と反対側の他端部側の発生器本体に設けられている。【選択図】図２
2018008223.tif 000002
【特許請求の範囲】
【請求項１】
液体を旋回させて旋回流を生成し、当該旋回流によって発生した負圧を用いて気体を導入し、当該気体が導入された旋回流を外部に噴出することによって微細気泡を発生させる微細気泡発生器において、
内部空間を有する発生器本体と、
前記発生器本体内部に備えられ、前記発生器本体の内部空間を内室と外室とに仕切る内壁部と、
前記内室に設けられ、前記微細気泡を外部に噴出させる噴出口を有する噴出部と、を備え、
前記発生器本体は、
前記旋回流を生じさせるように液体を前記外室に導入する液体導入口と、前記内室に気体を導入する気体導入口と、を備え、
前記内壁部は、
前記液体導入口から遠い方の一端部に設けられ、複数の第１ブレード片が所定の間隙を有しつつ周方向に沿って一部径方向にオーバーラップするように配列され、前記外室から前記内室に液体を前記間隙を介して流入させる第１固定ブレードを備え、
前記噴出部は、
前記気体導入口から前記噴出口に向かって内壁が縮径されたテーパガイド部を有し、
前記気体導入口は、前記一端部と反対側の他端部側の前記発生器本体に設けられていることを特徴とする微細気泡発生器。
【請求項２】
隣り合う前記第１ブレード片の間に形成される間隙の断面積が、前記外室側から前記内室側に向けて、徐々に減少していることを特徴とする請求項１記載の微細気泡発生器。
【請求項３】
前記第１ブレード片の外周面が、少なくとも前記内室の流入口近傍において、曲面状に形成されていることを特徴とする請求項１又は２記載の微細気泡発生器。
【請求項４】
前記噴出部における前記噴出口から最も遠ざかる部分には、複数の第２ブレード片が所定の間隙を有しつつ周方向に沿って配列された第２固定ブレードが備えられていることを特徴とする請求項１から３の何れか一項記載の微細気泡発生器。
【請求項５】
前記第２ブレード片は、前記噴出口に向かって傾斜していることを特徴とする請求項４記載の微細気泡発生器。
【請求項６】
前記噴出口の周縁部は、前記噴出口を含む平坦部と、当該平坦部の周囲が前記噴出口と反対側に傾斜した傾斜部とからなる略円錐台状となっていることを特徴とする請求項１から５の何れか一項記載の微細気泡発生器。
【請求項７】
前記内壁部及び前記噴出部は、前記発生器本体に着脱自在であることを特徴とする請求項１から６の何れか一項記載の微細気泡発生器。
【発明の詳細な説明】
【技術分野】
【０００１】
本発明は、液体を旋回させて旋回流を生成し、当該旋回流によって発生した負圧を用いて気体を導入し、当該気体が導入された旋回流を外部に噴出することによって微細気泡を発生させる微細気泡発生器に関する。
【背景技術】
【０００２】
近年、マイクロバブルやナノバブルといった微細気泡が有する、水質浄化、植物の生育の促進等に対する効能が注目を集めている。
明確な定義が存在するわけではないが、一般にマイクロバブルとは、概ね直径が５０μｍ以下となり、通常の気泡とは異なる性質を有するに至ったものを指すとされる。また、ナノバブルとは、マイクロバブルよりさらに細かく、概ね直径が１μｍ以下となったものを指すとされる。
【０００３】
このような微細気泡を液体中に発生させる方法としては様々なものが存在するが、その内で高速旋回流方式は、液体を高速旋回させ、これによって生じた負圧を利用して気体を導入した後に、液体及び気体を噴出口から噴出することにより、当該気体を剪断し、微細気泡を発生させるものである。
【０００４】
このような高速旋回流方式の微細気泡発生器としては、従来様々なものが存在しており、その内、本発明と比較的近い構成を有するものとしては、以下の先行文献記載のものが挙げられる。
具体的には、特許文献１には、予旋回室、ベーン状ノズル、主旋回室等を経由して加速された旋回流を導出口から放出することで、気体を剪断し、微細気泡を発生させるものが記載されている。
特許文献２には、液体供給口から導入された液体が、液体流路を経由することで、旋回流発生部において旋回流が発生し、これに気体を導入した後に放出孔から放出することで、気体を剪断し、微細気泡を発生させるものが記載されている。
【先行技術文献】
【特許文献】
【０００５】
【特許文献１】特開２００９−１６０５７６号公報
【特許文献２】特開２０１４−２３１０４６号公報
【発明の概要】
【発明が解決しようとする課題】
【０００６】
しかしながら、従来の高速旋回流方式の微細気泡発生器は、旋回流の整流及び加速を行う過程が十分ではなく、液体流量や気体吸引量を向上することが難しかったことから、微細気泡の生成効率の面で難があるものとされていた。
【０００７】
そこで、本発明は、液体流量及び気体吸引量を大幅に増加させ、従来のものと比べて生成効率が大幅に向上された、高速旋回流方式の微細気泡発生器を提供することを目的とする。
【課題を解決するための手段】
【０００８】
上記課題を解決するために、請求項１記載の発明は、
液体を旋回させて旋回流を生成し、当該旋回流によって発生した負圧を用いて気体を導入し、当該気体が導入された旋回流を外部に噴出することによって微細気泡を発生させる微細気泡発生器において、
内部空間を有する発生器本体と、
前記発生器本体内部に備えられ、前記発生器本体の内部空間を内室と外室とに仕切る内壁部と、
前記内室に設けられ、前記微細気泡を外部に噴出させる噴出口を有する噴出部と、を備え、
前記発生器本体は、
前記旋回流を生じさせるように液体を前記外室に導入する液体導入口と、前記内室に気体を導入する気体導入口と、を備え、
前記内壁部は、
前記液体導入口から遠い方の一端部に設けられ、複数の第１ブレード片が所定の間隙を有しつつ周方向に沿って一部径方向にオーバーラップするように配列され、前記外室から前記内室に液体を前記間隙を介して流入させる第１固定ブレードを備え、
前記噴出部は、
前記気体導入口から前記噴出口に向かって内壁が縮径されたテーパガイド部を有し、
前記気体導入口は、前記一端部と反対側の他端部側の前記発生器本体に設けられていることを特徴とする。
【０００９】
また、請求項２に記載の発明は、請求項１記載の発明と同様の構成を備えると共に、
隣り合う前記第１ブレード片の間に形成される間隙の断面積が、前記外室側から前記内室側に向けて、徐々に減少していることを特徴とする。
【００１０】
また、請求項３に記載の発明は、請求項１又は２記載の発明と同様の構成を備えると共に、
前記第１ブレード片の外周面が、少なくとも前記内室の流入口近傍において、曲面状に形成されていることを特徴とする。
【００１１】
また、請求項４に記載の発明は、請求項１から３の何れか一項記載の発明と同様の構成を備えると共に、
前記噴出部における前記噴出口から最も遠ざかる部分には、複数の第２ブレード片が所定の間隙を有しつつ周方向に沿って配列された第２固定ブレードが備えられていることを特徴とする。
【００１２】
また、請求項５に記載の発明は、請求項４記載の発明と同様の構成を備えると共に、
前記第２ブレード片は、前記噴出口に向かって傾斜していることを特徴とする。
【００１３】
また、請求項６に記載の発明は、請求項１から５の何れか一項記載の発明と同様の構成を備えると共に、
前記噴出口の周縁部は、前記噴出口を含む平坦部と、当該平坦部の周囲が前記噴出口と反対側に傾斜した傾斜部とからなる略円錐台状となっていることを特徴とする。
【００１４】
また、請求項７に記載の発明は、請求項１から６の何れか一項記載の発明と同様の構成を備えると共に、
前記内壁部及び前記噴出部は、前記発生器本体に着脱自在であることを特徴とする。
【発明の効果】
【００１５】
請求項１に記載の発明によれば、外室で発生した旋回流が、外室から第１固定ブレードを介して内室に導入され、内室においてテーパガイド部を経由して噴出口に導かれる過程で、十分な整流及び加速がなされることから、液体流量及び気体吸引量を増加させることができ、微細気泡の発生効率を向上させることができる。
【００１６】
請求項２に記載の発明によれば、第１固定ブレードによる旋回流の加速の効果を、向上させることができる。
【００１７】
請求項３に記載の発明によれば、第１固定ブレードによる旋回流の整流及び加速の効果を、更に向上させることができる。
【００１８】
請求項４に記載の発明によれば、内室における旋回流の整流及び加速の効果を、向上させることができる。
【００１９】
請求項５に記載の発明によれば、内室における旋回流の整流及び加速の効果を、更に向上させることができる。
【００２０】
請求項６に記載の発明によれば、噴出口付近を安定化するとともに、微細気泡発生器が投入された水槽等内全体における対流の安定化を促すことができる。
【００２１】
請求項７に記載の発明によれば、内壁部及び／又は噴出部の交換により、発生する微細気泡の特性、及び発生器の性能を、用途に合わせて調整することが可能となる。
【図面の簡単な説明】
【００２２】
【図１】実施形態に係る微細気泡発生器の斜視図である。
【図２】図１のII-II部の断面図である。
【図３】図２のIII-III部の断面図である。
【図４】図２のIV-IV部の断面図である。
【図５】（ａ）は流入口近傍部分及び流出口近傍部分のみに曲面加工がなされた第１固定ブレードを備えたインナーケースの平面図、（ｂ）は外周面全体に曲面加工がなされた第１固定ブレードを備えたインナーケースの平面図である。
【図６】（ａ）は第２固定ブレードを備えていないノズルの底面図、（ｂ）は各第２ブレード片に噴出口方向に向けて２０°の傾斜がつけられた第２固定ブレードを備えたノズルの底面図、（ｃ）は各第２ブレード片に噴出口方向に向けて３０°の傾斜がつけられた第２固定ブレードを備えたノズルの底面図、（ｄ）は各第２ブレード片に噴出口方向に向けて５３°の傾斜がつけられた第２固定ブレードを備えたノズルの底面図である。
【発明を実施するための形態】
【００２３】
以下、本発明の実施形態たる微細気泡発生器を、図１ないし図６に基づいて説明する。
【００２４】
（実施形態の構成）
（全体構成）
図１及び図２に示されるように、微細気泡発生器１は、内部空間４を有する発生器本体２と、発生器本体２の内部空間４を外室４ａと内室４ｂとに仕切る内壁部としてのインナーケース３と、内室４ｂの上部に設けられた噴出部としてのノズル５と、を備える。
【００２５】
（発生器本体）
発生器本体２は、略円筒形状に形成され、上面が開口した容器である。発生器本体２の側面の対角線上の二カ所に液体導入口６が設けられ、液体導入口６は配管ベース７と連結される。発生器本体２の底面中央部、すなわち内室４ｂの底面中央部には、略円錐状に形成された気体導入口側ガイド部８が備えられる。
また、平面視円形に形成された発生器本体２の底面の略中心には、気体導入口側ガイド部８の頂点から、気体導入口側ガイド部８及び発生器本体２の底面を貫通し、外部に通じる気体導入口９が設けられている。
また、発生器本体２の開口した上面には、ノズルプレート１０及びノズル５が取り付けられるようになっている。
【００２６】
（インナーケース）
図２に示すように、インナーケース３は、上面及び底面が開口した平面視円形状の筒状体であり、内壁は、下方に向かって徐々に縮径するようになっている。一方、外壁は、下方に向かって徐々に縮径し、途中から徐々に拡径するようになっており、括れ部３ｂを有する。
インナーケース３は、発生器本体２内に、円形に設けられた溝部２ａに着脱自在に固定され、発生器本体２の内部空間４を、外室４ａと内室４ｂに分断する。
インナーケース３の上端部（液体導入口から遠い方の一端部）には、第１固定ブレード１１が、インナーケース３の周方向に沿って設けられている。
【００２７】
（第１固定ブレード）
第１固定ブレード１１は、図３に示されるように、インナーケース３の上端部３ａに、円周状に所定の間隙１１ｂ・・・を空けて並べて設けられた複数の第１ブレード片１１ａ・・・により構成されている。各第１ブレード片１１ａ・・・は、径方向に対して一定角度傾斜しているとともに、一部径方向にオーバーラップするようになっており、その間隙１１ｂ・・・に外室４ａと内室４ｂをつなぐ通水路が形成されている。また、第１ブレード片１１ａ・・・の間隙１１ｂ・・・は、内室４ｂ側の流出口に向けて、徐々に狭まるように形成されている。
第１ブレード片１１ａ・・・の枚数は、インナーケース３の大きさ等に依存するため一義的には決められず、特定の枚数に限られるものではないが、本実施形態の場合８枚備えられている。
【００２８】
図３に示されるように、第１ブレード片１１ａ・・・の外周面は、曲面状に形成され（Ｒ加工）、平面視において滑らかな曲面となるように形成されている。特に内室４ｂ側の流出口付近において曲率がより高くなるよう形成されている。
なお、本実施形態では、外周面の全面が曲面状に形成されているが、必ずしも全面が曲面状に形成される必要はなく、内室４ｂ側への流出口付近のみ、外室４ａ側からの流入口付近のみ、若しくはその両方のみに曲面加工がなされた第１ブレード片１１ａ・・・、又は一切曲面状に形成されていない第１ブレード片１１ａ・・・により、第１固定ブレード１１を形成することも可能である。
【００２９】
。
また、図２に示すように、本実施形態においては、第１ブレード片１１ａ・・・の間隙１１ｂ・・・の下方に位置する、インナーケース３の上端部３ａの端面についても、上方に向けて凸状の曲面状に形成されている。当該曲面は、外室４ａ側の流入口に比べ、内室４ｂ側の流出口において、流路がわずかに狭まるように形成されている。なお、この曲面加工をなさずに、直線的に上記端面を形成することも可能である。
【００３０】
（ノズル）
ノズル５は、図１及び図２に示されるように、発生器本体２上部に、ノズルプレート１０を介して取り付けられている。
発生器本体２内に位置するノズル下部には、外壁が下方に行くほど縮径される略円錐台状に形成され、内壁が上方に行くほど縮径される略円錐台状に形成された、テーパガイド部５１が備えられている。内室４ｂ内においてテーパガイド部５１の外壁とインナーケース３の内壁との間には、下方に行くほど環の半径が小さくなる環状空間４ｂａが形成されている。また、テーパガイド部５１の内壁内には、上方に行くほど縮径される略円錐台状のテーパ空間４ｂｂが形成されている。
発生器本体２外部に位置するノズル５の上部には、中央に円形の平坦部５２ａが設けられ、その周囲に下方に向かって傾斜した傾斜部５２ｂが設けられ、全体として上部に行くほど断面積が小さくなる略円錐台状に形成された噴出口周縁部５２が備えられている。
そして、テーパガイド部５１の内壁の最上部中央と、噴出口周縁部５２の平坦部５２ａの中央を貫く形で、噴出口１２が設けられている。
また、テーパガイド部５１の最下部には、図４に示されるように、円周状に沿って第２固定ブレード１３が備えられている。なお、第２固定ブレード１３を備えない構成とすることも可能である。
噴出口１２は、図１及び図２に示されるように、平面視円形に形成された発生器本体２の略中心の位置に形成され、下部において発生器本体２の内部とつながり、上部において発生器本体２の外部とつながる略円柱状の空間である。また、外部につながる直前の部分で、わずかに断面積が広がるように形成されている。
【００３１】
（第２固定ブレード）
第２固定ブレード１３は、テーパガイド部５１の下端部において、テーパガイド部５１と一体的に形成される形で備えられている。第２固定ブレード１３は、テーパガイド部５１の下端部において、所定の間隔１３ｂ・・・を空けて周方向に沿って並べて設けられた複数の第２ブレード片１３ａ・・・により構成されており、また、各第２ブレード片１３ａ・・・は、周方向に沿って径方向に傾斜している。
第２ブレード片１３ａ・・・の枚数は、テーパガイド部５１の内径の大きさ等に依存するため一義的には決められず、特定の枚数に限られるものではないが、本実施形態においては８枚備えられている。
また、各第２ブレード片１３ａ・・・は、先端が上方（噴出口方向）を向くよう傾斜して備えられている。
なお、本実施例においては、各第２ブレード片１３ａ・・・が、先端が上方を向くよう傾斜して備えられているが、これを水平に備える構成とすることも可能である。
【００３２】
（ノズルプレート）
ノズルプレート１０は、図１及び図２に示されるように発生器本体２上部に設置される円形のプレートである。中央にノズル５の下部外周（テーパガイド部５１の上部外周）と大きさが一致する円形の穴が設けられており、ここにノズル５が着脱自在に係合するように構成されている。
【００３３】
（配管ベース）
図１及び図２に示すように、配管ベース７は、発生器本体２の側面下部に、液体導入口６に対応して２カ所設けられる。
配管ベース７は、図１及び図２に示すように、発生器本体２の外部側に向かって突出する形で備えられ、外部が略四角柱状に形成される。図２に示すように、配管ベース７には、発生器本体２の液体導入口６と連通する円柱状の流路が形成されている。この流路は液体導入口６に達する以前の一定の地点において、断面積が大幅に小さくなり、かつ外部側から見て左方向に大きく傾斜し、かつ、僅かに下方向に傾斜するよう形成されている。
なお、液体導入口６及び配管ベース７の数は、２カ所には限られない。また、液体導入口６の流路が左右に曲がる方向は、全て統一されていればよく、左方向には限られない。ただし、液体導入口の曲がる方向が逆になった場合には、これに合わせて第１固定ブレード１１及び第２固定ブレード１３のブレード片１１ａ・・・及び１３ａ・・・の左右の傾斜方向も逆にする必要がある。
【００３４】
（ベースホルダー）
図１及び２に示すように、ベースホルダー１４は、発生器本体２を安定的に設置するために用いられるものであり、略円筒状に形成されている。上部が発生器本体２の下部と係合するよう形成されており、また、中央部には気体導入口９への気体供給を可能とするため、上下に貫通した空洞が設けられている。
【００３５】
（微細気泡の発生過程）
次に微細気泡発生器１による、微細気泡の発生過程につき、図１ないし図６に基づき説明する。
【００３６】
まず、微細気泡発生器１は、噴出口１２が上方を向くようにして水中に設置される。また、液体導入口６に配管ベース７を介して外部に設置されたポンプ（図示しない。）が接続され、また、気体導入口９には外部の気体、典型的には水面上の空気まで、配管（図示しない。）がなされる。
【００３７】
外部のポンプが作動すると、発生器本体２の側面下部２カ所に備えられた配管ベース７を介して、液体導入口６から液体が外室４ａに導入される。この際、配管ベース７内の流路は、平面視円形をなす発生器本体２の中心に向いておらず、容器外部から見て左方向に傾斜して備えられていることから、配管ベース７を通って液体導入口６から発生器本体２に流入した液体は、時計回りに発生器本体２の側面外壁の内周に沿って流れることとなる。
これによって、発生器本体２の側面外壁とインナーケース３との間に平面視環状に形成された外室４ａ内に、平面視時計回りに旋回する旋回流が形成されることとなる。
【００３８】
外室４ａ下部には液体導入口６から連続的に液体が導入されることから、当初外室４ａ下部に導入された液体は、外室４ａ内を旋回しつつ、徐々に上方へと向かうこととなる。
そして、インナーケース３の上端部３ａには、第１固定ブレード１１が備えられ、第１ブレード片１１ａ・・・の間隙１１ｂ・・・に、内室４ｂへと通じる通水路が、インナーケース３を周回する形で同一円周上に複数設けられていることから、これを通じて、外室４ａで発生した旋回流が内室４ｂに導入されることとなる。
【００３９】
この際、図２及び図３に示されるように、第１ブレード片１１ａ・・・の間の間隙１１ｂ・・・に形成される通水路は、外室４ａで発生した旋回流の流路に沿うように傾斜して設けられており、かつ流入口側から流出口側に向かって断面積が徐々に減少するように形成されている。
従って、旋回流がこの通水路を通過する際、流路の断面積が絞られることから、流速が増加し、また、一定方向に傾斜した通水路を通ることにより、平面視時計回りの水流が整流される。
また、第１ブレード片１１ａ・・・の外周面、及び間隙１１ｂ・・・に形成される通水路の下方のインナーケース３の上端部３ａの端面が、曲面状に形成（Ｒ加工）されていることから、水抵抗が減少して水流はこれに沿って滑らかに流れ、より一層、整流及び加速の効果が高められる。
【００４０】
第１固定ブレード１１を通じて内室４ｂに導入された旋回流は、図２ないし図４に示されるように、内室４ｂ内においてインナーケース３の内壁とテーパガイド部５１の外壁との間に平面視環状に形成される環状空間４ｂａを旋回しつつ、下方に送られる。当該空間は下方に向かうほど旋回半径が小さくなるように形成されているため、旋回流の流速は下方に向かうほど増大し、また、インナーケース３の内壁とテーパガイド部５１の外壁の間の狭い環状空間４ｂａを旋回することで、更なる整流がなされる。
【００４１】
当該環状空間４ｂａを周回する旋回流が、テーパガイド部５１の下端部に達すると、内周側に障害のなくなった旋回流は、内側に向かい、旋回半径を狭めつつ進行することとなる。
また、内室４ｂの中央下部には略円錐状の気体導入口側ガイド部８が設けられていることから、内室４ｂの最下部にまで達した旋回流は、気体導入口側ガイド部８の周りを周回しつつ、上方に導かれることとなる。
【００４２】
そして、テーパガイド部５１の下端部には、第２固定ブレード１３が備えられていることから、旋回流は当該第２固定ブレード１３の第２ブレード片１３ａ・・・の間隙１３ｂ・・・を通過することとなる。
各第２ブレード片１３ａ・・・は、旋回流の流路に沿うよう傾斜し、かつ先端が、上方、すなわち噴出口方向を向くよう傾斜して備えられていることから、これを通過した旋回流は、平面視時計回りかつ上方に向かう流れが一層整えられる。
また、ブレードの間隔は内側に向かうほど狭くなっていることから、旋回流の流速がさらに増加する。
また、第２固定ブレード１３によって、これがない場合に水流が生じず無効化されてしまうテーパガイド部５１の下端直下の領域を活性化し、内室４ｂ内において活用されていない領域をなくすことができる。
【００４３】
また、内室４ｂの中央部付近においては、旋回流の旋回速度は、中心部に近づくほど旋回半径が狭く、高速となることから、所謂ベルヌーイの定理により、中心部に近づくほど旋回流の垂直方向の静圧が低下する。従って旋回流の中心点、すなわち平面視円形に形成される内室４ｂの中心点付近において圧力が最少となる。
この地点の直下に気体導入口９が設けられていることから、発生した負圧により、下方から気体が誘引され、旋回流内に気体が導入される。
【００４４】
テーパガイド部５１の内壁側には、略円錐台状のテーパ空間４ｂｂが形成されている。従って、第２固定ブレード１３を通過し、また気体導入口９から気体が導入された旋回流は、この空間に導かれ、当該空間内を旋回しつつ上昇していくこととなる。
テーパ空間４ｂｂは上方に向かう程断面積が小さくなるよう形成されていることから、上方に進むにつれて、旋回流の旋回半径は小さくなり、これに伴い流速は増加することとなる。
【００４５】
テーパ空間４ｂｂの最上部に達した旋回流は、当該地点において流速が最大となった後、噴出口１２から外部に放出される。この際、旋回流中に導入された気体が剪断され、微細気泡が生成される。
【００４６】
気体の剪断は、噴出口周縁部５２の中心部分に平坦部５２ａが形成されていることから、この上方において安定的に行われる。
また平坦部５２ａの外周には噴出口１２から遠ざかる方向に向けて傾斜した傾斜部５２ｂが形成されていることから、微細気泡発生器１周辺の水流が、当該傾斜部５２ｂに沿って流れることとなり、微細気泡発生器１が設置された水槽等内全体の対流が安定する。
【実施例】
【００４７】
次に、本発明の効果につき検証するため行った実験結果について説明する。全ての実施例において共通する条件として、液体を導入するポンプとしては川本製作所製ＮＦＺ４００ＳＫ（吐出圧：0.2MPa）を用い、液体は水道水、吸引気体は空気を用いた。
【００４８】
（実施例１）
インナーケース３として、図５(ａ)に示す、第１ブレード片が８枚であり、外室４ａからの流入口付近及び内室４ｂへの流出口付近にのみ曲面加工がなされた第１固定ブレード１１（第１固定ブレードＡ）を備えたものを用い、ノズル５として、図６（ａ）に示す第２固定ブレード１３が備えられていないものを用いて実験を行った。
【００４９】
（実施例２）
実施例１の条件から、ノズル５のみ、図６（ｂ）に示す、８枚の第２ブレード片からなり、各第２ブレード片に噴出口方向に向けて２０°の傾斜が付けられた第２固定ブレード１３を備えたものに変更して実験を行った。
【００５０】
（実施例３）
実施例２の条件から、ノズル５のみ、図６（ｃ）に示す、８枚の第２ブレード片からなり、各第２ブレード片に噴出口方向に向けて３０°の傾斜が付けられた第２固定ブレード１３を備えたものに変更して実験を行った。
【００５１】
（実施例４）
インナーケースとして、図５（ｂ）に示す、ブレード片が８枚であり、第１ブレード片の外周面全体に曲面加工がなされた第１固定ブレード１１（第１固定ブレードＢ）を備えたものを用い、ノズル５として、図６（ａ）に示す第２固定ブレード１３が備えられていないものを用いて実験を行った。
【００５２】
（実施例５）
実施例４の条件から、ノズル５のみ、図６（ｂ）に示す、８枚のブレード片からなり、各第２ブレード片に噴出口方向に向けて２０°の傾斜が付けられた第２固定ブレード１３を備えたものに変更して実験を行った。
【００５３】
（実施例６）
実施例５の条件から、ノズル５のみ、図６（ｃ）に示す、８枚のブレード片からなり、各第２ブレード片に噴出口方向に向けて３０°の傾斜が付けられた第２固定ブレード１３を備えたものに変更して実験を行った。
【００５４】
（実施例７）
実施例６の条件から、ノズル５のみ、図６（ｄ）に示す、８枚のブレード片からなり、各第２ブレード片に噴出口方向に向けて５３°の傾斜が付けられた第２固定ブレード１３を備えたものに変更して実験を行った。
【００５５】
以上の実施例の結果をまとめると、表１の通りである。
【表１】
2018008223.tif 000003
そして、表１の実験結果から、以下の事実が明らかとなった。
実施例１と実施例４、実施例２と実施例５、実施例３と実施例６の比較から、第１固定ブレードのブレード片の外周面において曲面加工がなされた範囲が増加するほど、液体流量及び気体吸引量が増加する傾向にある。
実施例１〜３の比較、及び実施例４〜７の比較から、第２固定ブレードが備えられていない場合より備えられている場合の方が液体流量及び気体吸引量が増加し、第２固定ブレードのブレード片の噴出口側への傾斜角度が大きくなるほど液体流量及び気体吸引量が増加する傾向にある。
これらの実験結果から、本発明における第１固定ブレード及び第２固定ブレードの効果は明白であると言える。
【００５６】
以上の通り、本発明によれば、容易に液体流量及び気体吸引量を増加させることができ、その結果として微細気泡の発生効率を向上することができる。
また、インナーケース３及び／又はノズル５の交換により、発生する微細気泡の特性、及び発生器の性能を、用途に合わせて調整することが可能となる。
【００５７】
なお、上記においては、特定の実施形態及び実施例を参照しながら本発明に係る微細気泡発生器につき説明してきたが、本発明は実施形態及び実施例記載の範囲に限定されるものではない。すなわち、本発明の要旨を逸脱しない範囲で種々の変更を行うことが可能であり、本発明の技術的範囲は、あくまで特許請求の範囲の記載を基に判断される。
【符号の説明】
【００５８】
１  微細気泡発生器
２  発生器本体
３  インナーケース（内壁部）
３ａ  上端部（液体導入口から遠い方の一端部）
４  内部空間
４ａ  外室
４ｂ  内室
５  ノズル（噴出部）
５１  テーパガイド部
５２  噴出口周縁部
５２ａ  平坦部
５２ｂ  傾斜部
６  液体導入口
９  気体導入口
１１  第１固定ブレード
１１ａ  第１ブレード片
１１ｂ  間隙
１２  噴出口
１３  第２固定ブレード
１３ａ  第２ブレード片
【図１】
2018008223.tif 000004
【図２】
2018008223.tif 000005
【図３】
2018008223.tif 000006
【図４】
2018008223.tif 000007
【図５】
2018008223.tif 000008
【図６】
2018008223.tif 000009